(57)【要約】      （修正有）【課題】ユーザが望む複数の機能を提供することが可能な拡張ユニット及び電子デバイスシステムを提供する。【解決手段】前面側にディスプレイが配置された電子デバイスに装着可能に構成された拡張ユニット３０であって、バッテリ４２を収容すると共に１又は複数のＩ／Ｏポート４３を有し、タブレットの背面側に装着可能に構成された拡張ユニット本体と、前記拡張ユニット本体に対して回動可能に形成されたスタンド５０と、を備えている。【選択図】図１
2017107444.tif 000002
【特許請求の範囲】
【請求項１】
前面側にディスプレイが配置された電子デバイスに装着可能に構成された拡張ユニットであって、
バッテリを収容すると共に１又は複数のＩ／Ｏポートを有し、前記タブレットの背面側に装着可能に構成された拡張ユニット本体と、
前記拡張ユニット本体に対して回動可能に形成されたスタンドと、
を備えたことを特徴とする拡張ユニット。
【請求項２】
前記１又は複数のＩ／Ｏポートは、ＵＳＢ端子、ｍｉｃｒｏＵＳＢ端子、ＵＳＢ−Ｃ端子、ＨＤＭＩ（登録商標）端子、ｍｉｃｒｏＨＤＭＩ（登録商標）端子、Ｄ端子、ＤＶ端子、ＤＶＩ端子、及びＬｉｇｈｔｎｉｎｇ端子用のＩ／Ｏポートのうちの少なくとも１つであることを特徴とする請求項１に記載の拡張ユニット。
【請求項３】
前記１又は複数のＩ／Ｏポートは、前記拡張ユニット本体の側面に配置されることを特徴とする請求項１又は請求項２に記載の拡張ユニット。
【請求項４】
前記１又は複数のＩ／Ｏポートは、キーボード装置と接続するためのＩ／Ｏポートを含むことを特徴とする請求項１又は請求項２に記載の拡張ユニット。
【請求項５】
前記電子デバイスの背面は、第１の背面と当該第１の背面より低く形成された第２の背面とを有する段差形状を呈しており、
前記拡張ユニット本体は、その前面が前記電子デバイスの前記第２の背面に対向する位置に装着され、
前記スタンドは、その表面が前記拡張ユニット本体の背面と略面一な状態となる第１のポジションと、前記電子デバイスを起立させた状態を保持可能な第２のポジションに位置することが可能に構成されていることを特徴とする請求項１〜請求項４のいずれか１つに記載の拡張ユニット。
【請求項６】
前記電子デバイスの背面は、第１の背面と当該第１の背面より低く形成された第２の背面とを有する段差形状を呈しており、
前記拡張ユニット本体は、その前面が前記電子デバイスの前記第２の背面に対向する位置に装着され、
前記スタンドは、その表面が前記電子デバイスの前記第１の背面と略面一な状態となる第１のポジションと、前記電子デバイスを起立させた状態を保持可能な第２のポジションに位置することが可能に構成されていることを特徴とする請求項１〜請求項４のいずれか１つに記載の拡張ユニット。
【請求項７】
前記電子デバイスの背面は、略平坦に形成されており、
前記拡張ユニット本体は、その前面が前記電子デバイスの背面と対向する位置に装着され、
前記拡張ユニット本体の背面は、第１の背面と当該第１の背面より低く形成された第２の面とを有する段差形状を呈し、
前記スタンドは、その表面が前記拡張ユニット本体の前記第１の背面と略面一な状態となる第１のポジションと、前記電子デバイスを起立させた状態を保持可能な第２のポジションに位置することが可能に構成されていることを特徴とする請求項１〜請求項４のいずれか１つに記載の拡張ユニット。
【請求項８】
前面側にディスプレイが配置された電子デバイスと、当該電子デバイスに装着可能に構成された拡張ユニットと、を備えた電子デバイスシステムであって、
前記拡張ユニットは、
バッテリを収容すると共に１又は複数のＩ／Ｏポートを有し、前記タブレットの背面に装着可能に構成された拡張ユニット本体と、
前記拡張ユニット本体に対して回動可能に形成されたスタンドと、
を備えたことを特徴とする電子デバイスシステム。
【発明の詳細な説明】
【技術分野】
【０００１】
本発明は、拡張ユニット及び電子デバイスシステムに関する。
【背景技術】
【０００２】
近時、一方の面側にディスプレイを備えたタブレットやスマートフォンのようなバッテリで駆動されるフラットタイプの電子デバイスが普及している。かかるフラットタイプの電子デバイスは薄型化が進んでいるため、十分な容量のバッテリを搭載するスペースが限られている。また、フラットタイプの電子デバイスでも、各種Ｉ／Ｏ規格のデータを取り扱えることが求められているが、Ｉ／Ｏポートを搭載するためのスペースが限られている。
【０００３】
他方、フラットタイプの電子デバイスは、通常、手で把持した状態で操作する場合と、机上等に置いた状態で操作する場合とがあり、机上等に置いた状態で操作する場合には、スタンドを利用して立てた状態で使用されることもある。
【０００４】
近時、フラットタイプの電子デバイスに、拡張バッテリ（「拡張ユニット」又は「アクセサリ」ともいう）を装着して、電子デバイスの長時間の稼働を可能とするものもある。
【先行技術文献】
【特許文献】
【０００５】
【特許文献１】特開２００４−２２０４４０号公報
【特許文献２】特開２００４−３１８８１５号公報
【特許文献３】米国特許公開２０１４／０２９３５３４
【発明の概要】
【発明が解決しようとする課題】
【０００６】
しかしながら、電子デバイスに装着する拡張ユニット（アクセサリ）は、拡張バッテリのように、１つの機能だけを提供するものが多く、ユーザが望む機能を十分には提供していなかった。
【０００７】
本発明は、上記に鑑みてなされたものであって、ユーザが望む複数の機能を提供することが可能な拡張ユニット及び電子デバイスシステムを提供することを目的とする。
【課題を解決するための手段】
【０００８】
上述した課題を解決し、目的を達成するために、本発明は、前面側にディスプレイが配置された電子デバイスに装着可能に構成された拡張ユニットであって、バッテリを収容すると共に１又は複数のＩ／Ｏポートを有し、前記タブレットの背面側に装着可能に構成された拡張ユニット本体と、前記拡張ユニット本体に対して回動可能に形成されたスタンドと、を備えたことを特徴とする。
【０００９】
また、本発明の好ましい態様によれば、前記１又は複数のＩ／Ｏポートは、ＵＳＢ端子、ｍｉｃｒｏＵＳＢ端子、ＵＳＢ−Ｃ端子、ＨＤＭＩ（登録商標）端子、ｍｉｃｒｏＨＤＭＩ（登録商標）端子、Ｄ端子、ＤＶ端子、ＤＶＩ端子、及びＬｉｇｈｔｎｉｎｇ端子用のＩ／Ｏポートのうちの少なくとも１つであることが望ましい。
【００１０】
また、本発明の好ましい態様によれば、前記１又は複数のＩ／Ｏポートは、前記拡張ユニット本体の側面に配置されることが望ましい。
【００１１】
また、本発明の好ましい態様によれば、前記１又は複数のＩ／Ｏポートは、キーボード装置と接続するためのＩ／Ｏポートを含むことが望ましい。
【００１２】
また、本発明の好ましい態様によれば、前記電子デバイスの背面は、第１の背面と当該第１の背面より低く形成された第２の背面とを有する段差形状を呈しており、前記拡張ユニット本体は、その前面が前記電子デバイスの前記第２の背面に対向する位置に装着され、前記スタンドは、その表面が前記拡張ユニット本体の背面と略面一な状態となる第１のポジションと、前記電子デバイスを起立させた状態を保持可能な第２のポジションに位置することが可能に構成されていることが望ましい。
【００１３】
また、本発明の好ましい態様によれば、前記電子デバイスの背面は、第１の背面と当該第１の背面より低く形成された第２の背面とを有する段差形状を呈しており、前記拡張ユニット本体は、その前面が前記電子デバイスの第２の背面に対向する位置に装着され、前記スタンドは、その表面が前記電子デバイスの前記第１の背面と略面一な状態となる第１のポジションと、前記電子デバイスを起立させた状態を保持可能な第２のポジションに位置することが可能に構成されていることが望ましい。
【００１４】
また、本発明の好ましい態様によれば、前記電子デバイスの背面は、略平坦に形成されており、前記拡張ユニット本体は、その前面が前記電子デバイスの背面と対向する位置に装着され、前記拡張ユニット本体の背面は、第１の背面と当該第１の背面より低く形成された第２の面とを有する段差形状を呈し、前記スタンドは、その表面が前記拡張ユニット本体の前記第１の背面と略面一な状態となる第１のポジションと、前記電子デバイスを起立させた状態を保持可能な第２のポジションに位置することが可能に構成されていることが望ましい。
【００１５】
また、上述した課題を解決し、目的を達成するために、本発明は、前面側にディスプレイが配置された電子デバイスと、当該電子デバイスに装着可能に構成された拡張ユニットと、を備えた電子デバイスシステムであって、前記拡張ユニットは、バッテリを収容すると共に１又は複数のＩ／Ｏポートを有し、前記タブレットの背面に装着可能に構成された拡張ユニット本体と、前記拡張ユニット本体に対して回動可能に形成されたスタンドと、を備えている。
【発明の効果】
【００１６】
本発明によれば、ユーザが望む複数の機能を提供することが可能な拡張ユニットを提供することが可能になるという効果を奏する。
【図面の簡単な説明】
【００１７】
【図１】図１は、本実施の形態に係るタブレットシステムにおいて、タブレットに拡張ユニットを装着した場合の側面を模式的に示す図である。
【図２】図２は、本実施の形態に係るタブレットシステムにおいて、タブレットに拡張ユニットを装着した場合の概略の斜視図（スタンドを閉じた状態）である。
【図３】図３は、本実施の形態に係るタブレットシステムにおいて、タブレットに拡張ユニットを装着した場合の概略の斜視図（スタンドを開いた状態）である。
【図４】図４は、本実施の形態に係るタブレットの概略の斜視図である。
【図５】図５は、本実施の形態に係る拡張ユニットの概略の斜視図である。
【図６】図６は、変形例１に係るタブレットシステムを説明するための図である。
【図７】図７は、変形例２に係るタブレットシステムを説明するための図である。
【図８−Ａ】図８−Ａは、変形例３に係るタブレットシステムを説明するための図（スタンドを閉じた状態）である。
【図８−Ｂ】図８−Ｂは、変形例３に係るタブレットシステムを説明するための図（スタンドを開いた状態）である。
【図９】図９は、変形例４に係るタブレットシステムを説明するための図である。
【発明を実施するための形態】
【００１８】
以下、本実施の形態に係る拡張ユニット（「アクセサリ」ともいう）及び電子デバイスシステムの実施の形態について説明する。本発明の構成要素は、本明細書の図面に一般に示してあるが、様々な構成で広く多様に配置し設計してもよいことは容易に理解できる。したがって、本発明のユニット及びシステムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及びユニットについての選択した実施の形態を単に示すものである。当業者は、特定の細目の１つ以上が無くても、又は他の方法、部品、材料、機構、構造でも本発明を実現できることが理解できる。また、以下に示す実施の形態及びその複数の変形例は、単独で実施してもよいし、組み合わせて実施してもよく、組み合わせの全てについてはその記載を省略する。
【００１９】
（実施の形態）
本発明に係る拡張ユニット及び電子デバイスシステムを、フラットタイプの電子デバイスであるタブレットに適用した場合を一例として説明する。タブレットと拡張ユニットをタブレットシステムと称する。
【００２０】
図１〜図５は、本実施の形態に係るタブレットシステムの一例を説明するための図である。図１は、タブレットシステムにおいて、タブレットに拡張ユニットを装着した場合の側面を模式的に示す図、図２はタブレットシステムにおいて、タブレットに拡張ユニットを装着した場合の概略の斜視図（スタンドを閉じた状態）、図３はタブレットシステムにおいて、タブレットに拡張ユニットを装着した場合のタブレットシステムの概略の斜視図（スタンドを開いた状態）、図４は、タブレットの概略の斜視図、図５は、拡張ユニットの概略の斜視図である。なお、図１は、理解の容易のため厚さ方向を拡大して示している。
【００２１】
図１〜図５に示すように、本実施の形態に係るタブレットシステム１は、前面１１ａ側にディスプレイが配置されたタブレット１０と、タブレット１０に装着可能に構成された拡張ユニット３０と、を備え、拡張ユニット３０は、バッテリ４２を収容すると共に、１又は複数のＩ／Ｏポート４３を有し、タブレット１０の背面１１ｂ側に装着可能に構成された拡張ユニット本体４０と、拡張ユニット本体４０に対して回動可能に形成されたスタンド５０と、を備えている。
【００２２】
図１及び図４に示すように、タブレット１０は、前面１１ａと、背面１１ｂと、側面１１ｃを有する筐体１１を備えており、平面視略矩形状及び側面視段差形状（Ｌ字形状）を呈している。タブレット１０の前面１１ａの中央位置にはタッチディスプレイ１２が配置されている。タッチディスプレイ１２は、例えば、ディスプレイ（例えば、ＬＣＤ、有機ＥＬ等）と、ディスプレイ上に重畳されたタッチセンサとを備えた構成とすることができる。
【００２３】
また、タブレット１０の筐体１１には、マイクロプロセッサと、入力コントローラ、バッテリコントローラ、Ｉ／Ｏコントローラ等の各種コントローラと、ＧＰＵと、メモリと、及びストレージ等が搭載されるＰＣＢ１５、及びバッテリ１６等が内蔵されている。タブレット１０の背面１１ｂは、段差を有しており、第１の背面２１と、第１の背面２１より低く形成された第２の背面２２と、第１の背面２１と第２の背面２２間に形成された段差面２３を備えている。
【００２４】
第２の背面２２は、拡張ユニット３０の拡張ユニット本体４０の前面４１ａと略同じ大きさを有しており、拡張ユニット本体３０の前面４１ａが対向して装着される。また、第２の背面２２には、拡張ユニット３０の一対のガイド溝４５（図５参照）に対応する一対の所定形状の突起部２６が設けられている。これにより、拡張ユニット３０をタブレット１０に装着する際に、ガイド溝４５と突起部２６が係合し、拡張ユニット３０をスムーズに装着でき、また、ガタツキなく固定することが可能となる。ガイド溝４５及び突起部２６の形状は公知であり、他の形状を使用してもよい。
【００２５】
また、段差面２３には、拡張ユニット３０の一対の係止用突起４４（図５参照）と対応する部分に一対の係止用溝２４が設けられている。第１の背面２１には、係止用溝２４に係合する係止用突起４４をロック・解放するためのイジェクトボタン２５が設けられている。不図示のロック・解放機構は、イジェクトボタン２５の操作に連動して係止用溝２４に係合する係止用突起２４をロック・解放することが可能となっている。
【００２６】
図１及び図５に示すように、拡張ユニット３０は、拡張ユニット本体４０と、タブレット１０を起立状態（立て置きした状態）に保持可能な、略矩形形状を呈するスタンド５０と、拡張ユニット本体４０に対してスタンド５０を回動可能に連結するヒンジ６０と、を備えている。ヒンジ６０は、公知の構成とすることができ、例えば、１軸ヒンジ、２軸ヒンジ等を使用することができる。スタンド５０の形状は、矩形形状に限られるものではなく、他の形状としてもよく、例えば、コの字形状や環状形状としてもよい。
【００２７】
拡張ユニット本体４０は、前面４１ａ、背面４１ｂ、側面４１ｃを有する筐体４１を備えている。筐体４１内には、バッテリ４２が搭載されている。側面４１ｃには、１又は複数のＩ／Ｏポート４３が設けられている。同図に示す例では、３つのＩ／Ｏポート４３が示されている。Ｉ／Ｏポート４３は、例えば、ＵＳＢ端子、ｍｉｃｒｏＵＳＢ端子、ＵＳＢ−Ｃ端子、ＨＤＭＩ（登録商標）端子、ｍｉｃｒｏＨＤＭＩ（登録商標）端子、Ｄ端子、ＤＶ端子、ＤＶＩ端子、及びＬｉｇｈｔｎｉｎｇ端子等用の入力用及び／又は出力用のＩ／Ｏポートの少なくとも１つとしてもよい。また、Ｉ／Ｏポート４３は、有線用に限られず無線用としてもよい。
【００２８】
拡張ユニット３０に搭載されるバッテリ４２及び１又は複数のＩ／Ｏポート４３は、不図示のコネクタでタブレット１０のＰＣＢ１５に電気的に接続されている。例えば、ＰＣＢ１５のバッテリコントローラは、バッテリ４２の制御が可能となっており、ＰＣＢ１５のＩ／Ｏコントローラは、１又は複数のＩ／Ｏポート４３の制御が可能となっている。バッテリコントローラは、拡張ユニット３０が装着されている場合は、拡張ユニット３０に搭載されたバッテリ４２をタブレット１０に搭載されたバッテリ１６より優先して使用することにしてもよい。
【００２９】
また、拡張ユニットの側面４１ｃには、タブレット１０の一対の係止用溝２５に対応する一対の係止用突起４４が設けられている。
【００３０】
図１〜図５に示すように、スタンド５０は、ヒンジ６０により拡張ユニット本体４０に対して、α度（但し、９０度＜α＜１８０度）回動可能に構成されている。ユーザは、手でスタンド５０を回転させることができる。スタンド５０は、ヒンジ６０により、拡張ユニット本体４０（タブレット１０）に対して、回転角θ＝０度の第１のポジションと、回転角θ＝α度（但し、９０度＜α＜１８０度）の第２のポジションを取ることが可能となっている。第１のポジションはスタンド５０を閉じた状態であり、拡張ユニット本体４０の背面４１ｂとスタンド５０が略面一な状態となる。第２のポジションはスタンド５０を拡張ユニット本体４０に対してα度回転させて開いた状態であり、タブレット１０を起立させた状態を保持可能な状態である。なお、スタンド５０及びヒンジ６０は、スタンド５０の回転角θがα度より小さい角度（中間角度）でタブレット１０を起立させた状態を保持できるような強度とすることが望ましい。
【００３１】
例えば、ユーザは、タブレット１０を手で把持して使用する場合は、スタンド５０を閉じた状態で使用し、タブレット１０を立てて使用する場合は、スタンド５０を開いて（降ろして）スタンド５０の先端面及びタブレット１０の側面１１ｃを机等に接地させて使用することができる。
【００３２】
次に、拡張ユニット３０をタブレット１０に装着する手順を説明する。タブレット１０に拡張ユニット３０を装着する場合は、スタンド５０を開いた状態で拡張ユニット本体４０の背面４１ｂをタブレット１０の第２の背面２２と対向させ、拡張ユニット３０の一対のガイド溝４５を、タブレット１０の突起部２６に係合させながら、タブレット１０の係止用溝２４に拡張ユニット３０の係止用突起４４を挿入する。挿入後、手でイジェクトボタン２５をロック方向にスライドさせることで、不図示のロック・解放機構は、係止用突起４４をロックすることができる。
【００３３】
これにより、拡張ユニット３０をタブレット１０に固定することができる。他方、拡張ユニット３０をタブレット１０から取り外す場合は、手でイジェクトボタン２５をロック解除方向にスライドさせることで、不図示のロック・解放機構は、係止用突起４４のロックを解除することができ、これにより、ユーザは、拡張ユニット３０を取り外すことができる。
【００３４】
以上説明したように、本実施の形態によれば、少なくとも前面側にディスプレイを備えたタブレット１０と、タブレット１０に装着可能に構成された拡張ユニット２０と、を備えたタブレットシステム１であって、拡張ユニット３０は、バッテリ４２を収容すると共に、１又は複数のＩ／Ｏポート４３を有し、タブレット１０の背面１１ｂに装着可能に構成された拡張ユニット本体４０と、拡張ユニット本体４０に対して回動可能に形成されたスタンド５０とを備えているので、ユーザが望む複数の機能（バッテリ機能、スタンド機能、Ｉ／Ｏ機能）を提供することが可能となる。
【００３５】
また、本実施の形態によれば、タブレット１０の背面１１ｂは、第１の背面２１と第１の背面２１より低く形成された第２の背面２２とを有する段差形状を呈し、拡張ユニット本体４０は、第２の背面２２に対向する位置に装着され、スタンド５０は、その表面が拡張ユニット本体４０の背面４１ｂと略面一な状態である第１のポジションと、タブレット１０を起立させた状態を保持可能な第２のポジションとに位置することが可能に構成されているので、背面に段差形状を有するタブレットを使用した場合でも、スタンドを使用しない状態では、タブレットシステムの背面を略平坦な構成とすることができ、タブレットシステムの背面を下にした状態で置いたり、手で把持する場合にユーザの使い勝手を向上させることが可能となる。例えば、タブレットシステムの背面に段差があると、ユーザが手で把持する場合に違和感を感じる場合があったり、背面を下にして机上等に置く場合に水平状態を保てず傾いた状態となり、ユーザにとって使い勝手がよい状態とは言えない。
【００３６】
（変形例１）
図６は、変形例１に係るタブレットシステムを説明するための図である。図６において、上記実施の形態と同等の機能を有する部位には同一の符号を付し、説明の簡単のため、異なる点についてのみ説明する。変形例１は、拡張ユニット３０を折り畳み構造としたものである。
【００３７】
タブレット１０の背面１１ｂは、第１の背面２１と第１の背面２１より低く形成された第２の背面２２とを有する段差形状を呈し、拡張ユニット本体４０は、第２の背面２２に対向する位置に装着される。拡張ユニット３０をタブレット１０に装着・取り外すための構成は、上記実施の形態と同様であるのでその説明を省略する。
【００３８】
スタンド５０は、ヒンジ６０により拡張ユニット本体４０に対して、β度（但し、０度＜β＜９０度）回動可能に構成されている。ユーザは、手でスタンド５０を回転させることができる。スタンド５０は、ヒンジ６０により、拡張ユニット本体４０（タブレット１０）に対して、回転角θ＝０度の第１のポジションと、回転角θ＝β度（但し、０度＜β＜９０度）の第２のポジションを取ることが可能となっている。第１のポジションはスタンド５０を閉じた状態であり、スタンド５０の表面がタブレット１０の第１の背面２１と略面一な状態となる。第２のポジションはスタンド５０を拡張ユニット本体４０に対してβ度回転させて開いた状態であり、タブレット１０を起立させた状態を保持可能な状態である。なお、スタンド５０及びヒンジ６０は、スタンド５０の回転角θがβ度より小さい角度（中間角度）でタブレット１０を起立させた状態を保持できるような強度とすることが望ましい。
【００３９】
例えば、ユーザは、タブレット１０を手で把持して使用する場合は、スタンド５０を閉じた状態で使用し、タブレット１０を立てて使用する場合は、スタンド５０を開いて（上げて）スタンド５０の先端面及びタブレット１０の側面１１ｃを机等に接地させて使用することができる。
【００４０】
変形例１によれば、タブレット１０の背面１１ｂは、第１の背面２１と第１の背面２１より低く形成された第２の背面２２とを有する段差形状を呈し、拡張ユニット本体４０は、第２の背面２２に対向する位置に装着され、スタンド５０は、その表面が拡張ユニット本体４０の第１の背面２１と略面一な状態である第１のポジションと、拡張ユニット本体４０に対して回転させて、タブレット１０の起立させた状態を保持可能な第２のポジションに位置することが可能に構成されているので、背面に段差形状を有するタブレットを使用した場合でも、スタンドを使用しない状態では、タブレットシステムの背面を略平坦な構成とすることができ、タブレットシステムを、その背面を下にした状態で置いたり、手で把持する場合にユーザの使い勝手を向上させることが可能となると共に、拡張ユニットをコンパクトな構成とすることができる。
【００４１】
（変形例２）
図７は、変形例２に係るタブレットシステムを説明するための図である。図７において、上記実施の形態と同等の機能を有する部位には同一の符号を付し、説明の簡単のため、異なる点についてのみ説明する。変形例２は、タブレット１０の背面１１ｂを略平坦な構成としたものである。また、変形例２は、拡張ユニット３０のバッテリやＩ／Ｏポートを搭載するスペースを拡大している。
【００４２】
図７に示すように、タブレット１０の背面１１ｂは、略平坦な構成を有している。拡張ユニット本体４０の前面４１ａは、タブレット１０の背面１１ｂと略同じ大きさを有している。拡張ユニット本体４０の背面４１ｂは、第１の背面７１と、第１の背面７１より低く形成された第２の背面７２とを有する段差形状を呈している。
【００４３】
また、拡張ユニット本体４０は、バッテリ４２及びＩ／Ｏポート４３に加えて、その筐体４１内にバッテリ４２が搭載されていると共に、その側面４１ｃに、１又は複数のＩ／Ｏポート４３が設けられている。拡張ユニット３０は、拡張ユニット本体４０の前面４１ａがタブレット１０の背面１１ｂに対向して装着される。拡張ユニット本体４０の前面４１ａ及びタブレット１０の背面１１ｂには、拡張ユニット３０をタブレット１０に着脱可能に装着するための部位（例えば、係止機構）及び／又はロック・解放機構（不図示）が設けられている。拡張ユニット３０をタブレット１０に着脱可能に装着するための部位及び／又は機構は公知であるのでその詳細な説明は省略する。
【００４４】
スタンド５０は、ヒンジ６０により拡張ユニット本体４０に対して、α度（但し、９０度＜α＜１８０度）回動可能に構成されている。ユーザは、手でスタンド５０を回転させることができる。スタンド５０は、ヒンジ６０により、拡張ユニット本体４０（タブレット１０）に対して、回転角θ＝０度の第１のポジションと、回転角θ＝α度（但し、９０度＜α＜１８０度）の第２のポジションを取ることが可能となっている。第１のポジションはスタンド５０を閉じた状態であり、拡張ユニット本体４０の第１の背面７１とスタンド５０の表面が略面一な状態となる。第２のポジションはスタンド５０を拡張ユニット本体４０に対してα度回転させて開いた状態であり、タブレット１０を起立させた状態を保持可能な状態である。なお、スタンド５０及びヒンジ６０は、スタンド５０の回転角θがα度より小さい角度（中間角度）でタブレット１０を起立させた状態を保持できるような強度とすることが望ましい。
【００４５】
例えば、ユーザは、タブレット１０を手で把持して使用する場合は、スタンド５０を閉じた状態で使用し、タブレット１０を立てて使用する場合は、スタンド５０を開いて（降ろして）スタンド５０の先端面及びタブレット１０を机等に接地させて使用することができる。
【００４６】
変形例２によれば、タブレット１０の背面１１ｂは、略平坦に構成されており、拡張ユニット本体４１の背面４１ｂは、第１の背面７１と、第１の背面７１より低く形成された第２の背面７２とを有する段差形状を呈し、拡張ユニット本体４０は、その前面４１ａがタブレット１０の背面１１ｂに対向する位置に装着され、スタンド５０は、拡張ユニット本体４０の第１の背面７１と略面一な状態となる第１のポジションと、拡張ユニット本体４０に対して回転させて、タブレット１０の起立させた状態を保持可能な第２のポジションに位置することが可能に構成されているので、背面が略平坦なタブレットを使用した場合に、スタンドを使用しない状態では、タブレットシステムの背面を略平坦な構成とすることができ、タブレットシステムをその背面を下にした状態で置いたり、手で把持する場合にユーザの使い勝手を向上させることが可能となる。
【００４７】
（変形例３）
図８−Ａ及び図８−Ｂは、変形例３に係るタブレットシステムを説明するための図である。図８−Ａ及び図８−Ｂにおいて、上記実施の形態と同等の機能を有する部位には同一の符号を付し、説明の簡単のため、異なる点についてのみ説明する。変形例３は、スタンド５０を、拡張ユニット本体４０の背面４１ｂに形成した構成である。図８に示すように、拡張ユニット本体４０の背面４１ｂに略コの字形状を呈するスタンド５０が、不図示の回動軸を支点にして開閉（回動）可能に取り付けられている。図８−Ａは、スタンド５０を閉じた状態（第１のポジション）、図９（Ｂ）は、スタンド５０を開いた状態（第２のポジション）を示している。なお、拡張ユニット本体４０の背面４１ｂに、スタンド５０を収納するためのスタント収納用溝（不図示）を設けて、スタンド５０を閉じた状態で、スタンド５０の表面と拡張ユニット本体４０の背面４１ｂが略面一となるように構成してもよい。これにより、スタンド５０の構成をコンパクトにすることが可能となる。
【００４８】
（変形例４）
図９は、変形例４に係るタブレットシステムを説明するための図である。図９において、上記実施の形態と同等の機能を有する部位には同一の符号を付し、説明の簡単のため、異なる点についてのみ説明する。変形例４は、拡張ユニット本体４０の前面４１ｂの下方に、キーボード装置１００のコネクタが形成された接続部１０１と電気的に接続するためのキーボード連結部４９（キーボード装置用のＩ／Ｏポート）が形成されている。
【００４９】
なお、上記実施の形態では、電子デバイスとして、タブレットについて説明したが、本発明はこれに限られるものではなく、例えば、スマートフォンやＰＤＡ等の例えばフラットタイプの電子デバイスに適用可能である。
【符号の説明】
【００５０】
１  タブレットシステム
１０  タブレット
１１  筐体
１１ａ  前面
１１ｂ  背面
１１ｃ  側面
１２  タッチディスプレイ
１５  ＰＣＢ
１６  バッテリ
２１  第１の背面
２２  第２の背面
２３  段差面
２４  係止用溝
２５  イジェクトボタン
２６  突起部
３０  拡張ユニット
４０  拡張ユニット本体
４１ａ  前面
４１  筐体
４１ａ  前面
４１ｂ  背面
４１ｃ  側面
４２  バッテリ
４３  Ｉ／Ｏポート
４４  係止用突起
４５  ガイド溝
４９  キーボード連結部
５０  スタンド
６０  ヒンジ
７１  第１の背面
７２  第２の背面
１００  キーボード装置
１０１  接続部
【図１】
2017107444.tif 000003
【図２】
2017107444.tif 000004
【図３】
2017107444.tif 000005
【図４】
2017107444.tif 000006
【図５】
2017107444.tif 000007
【図６】
2017107444.tif 000008
【図７】
2017107444.tif 000009
【図８−Ａ】
2017107444.tif 000010
【図８−Ｂ】
2017107444.tif 000011
【図９】
2017107444.tif 000012